(57)【要約】      （修正有）【課題】グループへの参加を、そのグループにとって相応しいユーザーに限定することのできるソーシャルネットワークサービス提供システムを提供する。【解決手段】ソーシャルネットワークサービス提供システムにおいて、インターネットを介して、ソーシャルネットワークサービス管理サーバー１と、このソーシャルネットワークサービスを利用する多数のユーザー端末３，５，７が接続されている。ソーシャルネットワークサービス提供システムが提供するグループ機能では、２名以上のメンバーから成るグループへの参加は、そのグループの複数のメンバーによる賛成を必要とする。グループ機能では、グループへの参加は、そのグループの過半数のメンバーによる賛成を必要とする。【選択図】図１
2020187574.tif 000002
【特許請求の範囲】
【請求項１】
複数のメンバーを有するグループが設定されているソーシャルネットワークサービスにおいて、このグループへの参加リクエストは、前記グループのメンバーの複数が賛成することを条件に承認されることを特徴とするソーシャルネットワークサービス提供システム。
【請求項２】
前記参加リクエストの承認の条件は、前記グループのメンバーの過半数が賛成することであることを特徴とする請求項１に記載のソーシャルネットワークサービス提供システム。
【発明の詳細な説明】
【技術分野】
【０００１】
本発明は、グループへの参加を、そのグループにとって相応しいユーザーに限定することのできるソーシャルネットワークサービス提供システムに関する。
【背景技術】
【０００２】
近年、フェイスブック（登録商標）などに代表されるソーシャルネットワークサービス（ＳＮＳ）技術が広く普及している。このようなＳＮＳでは、ネットワーク上で、ユーザ同士がメッセージの交換、友達関係の設定、グループの生成などを行なうことができ、これにより、ユーザ同士の繋がりが生まれている（特許文献１）。
【０００３】
ＳＮＳユーザーの増加に伴って、様々な付帯サービスが追加されている。その一つに、グループの生成がある。グループとは、趣味やビジネスなどの共通のテーマのもとにメンバーを集め、情報を共有したり交流したりできるサービスである。読書クラブや家族会などのグループを作成すれば、特定の人々とつながって近況報告や情報交換ができる。
【０００４】
このようなＳＮＳにおいて、或るユーザーがグループに参加するには、例えば次のような方法がある。まず、このユーザーが、グループへの参加リクエストを送信する。この参加リクエストに対して、グループの管理者が承認を与えれば、このユーザーは、当該グループに参加してメンバーとなる。または、グループのメンバーにいずれかが、グループへ招待するメッセージをユーザーへ送信する。ユーザーが招待を受ければ、当該グループに参加してメンバーとなる。
【先行技術文献】
【特許文献】
【０００５】
【特許文献１】特開２００７−２８７１３１号公報
【発明の概要】
【発明が解決しようとする課題】
【０００６】
しかしながら、従来のグループへの参加方法では、グループのメンバーの一人が、グループへのユーザーの参加の可否を決定することができるようになっている。この様なシステムでは、グループが家族会や、特定の業務連絡用グループのような、通常では部外者の参加を簡単には行わないような場合であっても、メンバーの一人が、不用意に不適切なユーザーをメンバーに加えてしまうということが起こってしまう危惧がある。
【０００７】
そこで、本発明の目的は、ソーシャルネットワークサービスのグループにおいて、メンバーとして相応しくないユーザーの参加を抑制することができるソーシャルネットワークサービス提供システムを提供することである。
【課題を解決するための手段】
【０００８】
上記課題を解決するために、本発明の１つの様相によるソーシャルネットワークサービス提供システムは、複数のメンバーを有するグループが設定されているソーシャルネットワークサービスにおいて、このグループへの参加リクエストは、前記グループのメンバーの複数が賛成することを条件に承認されることを特徴とする。
【０００９】
また、一つの実施例では、前記参加リクエストの承認の条件は、前記グループのメンバーの過半数が賛成することである。
【発明の効果】
【００１０】
本発明に係わるソーシャルネットワークサービス提供システムによれば、グループに参加するには、複数のメンバーの賛同を得ることが要件となっているため、メンバーとして相応しくないようなユーザーの参加を抑制することができる。
【図面の簡単な説明】
【００１１】
【図１】図１は、本発明に係るソーシャルネットワークサービス管理サーバーによるソーシャルネットワークサービスの実施態様を説明するためのネットワーク図である。
【図２】図２は、本発明に係るソーシャルネットワークサービスにおける新たなユーザーの参加の賛否を問うアンケートのダイアログを示す図である。
【図３】図３は、本発明に係るソーシャルネットワークサービスにおける新たなユーザーの参加を知らせるダイアログを示す図である。
【発明を実施するための形態】
【実施例１】
【００１２】
以下、添付図面を参照しながら、本発明によるソーシャルネットワークサービス提供システムの実施例１を説明する。このソーシャルネットワークサービス提供システムは、インターネットに接続して、ユーザーにソーシャルネットワークサービスを提供するソーシャルネットワークサービス管理サーバーとして実装されている。
【００１３】
図１は、このソーシャルネットワークサービス管理サーバー１によるソーシャルネットワークサービスの実施態様を説明するためのネットワーク図である。ここで、インターネットには、ソーシャルネットワークサービス管理サーバー１と、このソーシャルネットワークサービスを利用する多数のユーザー端末が接続されている。ここでは、簡略化してユーザーＡが携帯しているスマートフォン３と、ユーザーＢが使用しているパーソナルコンピュータ５およびユーザーＣが使用しているパーソナルコンピュータ７のみが例示されている。
【００１４】
ユーザーＡ、ユーザーＢおよびユーザーＣは、このソーシャルネットワークサービスのアカウントを持ち、ソーシャルネットワークサービス管理サーバー１へログオンし、様々なコミュニケーション機能を利用し、他のユーザーとの交流を行うことができる。
【００１５】
また、このソーシャルネットワークサービスでは、「グループ」を作成できる。グループとは、そのグループのメンバー間でメッセージを投稿したり、写真や動画を共有したりできるものである。投稿された情報は、メンバー以外には非公開とすることができる。
【００１６】
従来のソーシャルネットワークサービスでは、グループへのユーザーの参加は、そのグループの管理者など一人のメンバーの承認で許可されていた。しかしながら、一人のメンバーの気まぐれで、あまり相応しくないユーザーがメンバーとしてグループへ加わることで、グループの運営に支障をきたすということもあった。
【００１７】
そこで、本発明によるソーシャルネットワークサービス提供システムが提供するグループ機能では、２名以上のメンバーから成るグループへの参加は、そのグループの複数のメンバーによる賛成が必要とされる。特に、本実施例によるグループ機能では、グループへの参加は、そのグループの過半数のメンバーによる賛成が必要とされる。
【００１８】
例えば、ユーザーＡがグループを作成した直後は、ユーザーＡのみがメンバーなので、ユーザーＡの承認でユーザーＢをメンバーに加えることができる。ユーザーＡとユーザーＢがメンバーとなったグループに対して、ユーザーＣがグループへの参加リクエストを行った場合、メンバーの全員、すなわちユーザーＡとユーザーＢに参加承認の是非のアンケートが行われる（図２）。この場合、メンバーの数は２なので、ユーザーＡとユーザーＢの双方が賛成した時のみ過半数となり、ユーザーＣのグループへの参加が認められる。つまり、参加リクエストは承認される。この承認結果、すなわちユーザーＣのグループへの参加の事実は、グループの各メンバーへ通知される（図３）。
【００１９】
更に、別のユーザーＤがグループへの参加リクエストを行った場合も、メンバーの全員、すなわちユーザーＡ、ユーザーＢおよびユーザーＣに参加承認の是非のアンケートが行われる。この場合、メンバーの数は３なので、その過半数すなわちユーザーＡ、ユーザーＢおよびユーザーＣの中の二人または三人の賛成により、ユーザーＣのグループへの参加が認められる。
【００２０】
このようにグループのメンバーの過半数の賛成により参加リクエストは承認される。例えば、メンバーの数が１００名であれば、５１名以上の賛成により参加リクエストは承認される。
【実施例２】
【００２１】
実施例１では、２名以上のメンバーから成るグループへの参加は、そのグループの複数のメンバーによる賛成が必要とされている。この実施例２でも、複数のメンバーによる賛成が、グループ参加の基本的な条件となっているが、例外が設けられる。
【００２２】
すなわち、特別な条件が満たされれば、一人のメンバーによる賛成でもグループへの参加が認められる。この特別な条件とは、賛成するメンバーが、グループへの参加を希望するメンバーと同一場所にいるという条件である。言い換えれば、この二人が会っており、面識のあるユーザー同士であるということである。
【００２３】
この為、参加を希望するユーザーが参加リクエストを送信する際には、現在位置を示す位置情報もソーシャルネットワークサービス管理サーバー１に送信する。同様に、このユーザーの参加に賛成する一人のメンバーも、現在位置を示す位置情報もソーシャルネットワークサービス管理サーバー１に送信する。
【００２４】
これらの現在位置が同一場所を示していれば、賛成するメンバーが一人であっても、ソーシャルネットワークサービス管理サーバー１は、この参加リクエストを承認し、参加を希望するユーザーを当該グループへ新たなメンバーとして追加する。もしも、これらの現在位置が同一場所を示していなければ、賛成するメンバーが一人のみであれば、ソーシャルネットワークサービス管理サーバー１は、この参加リクエストを承認せず、参加を希望するユーザーを当該グループへ新たなメンバーとして追加することはしない。
【００２５】
実際には、ソーシャルネットワークサービス提供システムでは、参加を希望するユーザーの現在位置と、賛成するメンバーの現在位置が、一定の間隔、具体的には１０ｍから１ｋｍの間で決められた間隔、例えば１００ｍ以内であれば同一場所とみなして、参加リクエストを承認する。この間隔以上離れていれば、参加リクエストを承認しない。
【００２６】
この場合、面識のある場合に限り、メンバーの一人だけでも新たなユーザーをグループのメンバーへ追加することができる。従って、グループのメンバーの一人が、不用意に良く分からないユーザーをメンバーへ追加してしまうという事態は防止することができる。
【産業上の利用可能性】
【００２７】
本発明に係わるソーシャルネットワークサービス提供システムによれば、ユーザーの参加リクエストに対して、複数のメンバーによる賛成が必要となっているので、グループへの参加を、そのグループにとって相応しいユーザーに限定することができる。
【００２８】
複数のメンバーとしては、実施例１に示したように、そのグループに属するメンバーの過半数とすることができるが、これに限らない。例えば、メンバーの数とは無関係に二人のメンバーの賛成を、グループへの参加の要件としても良い。すなわち、１００人のメンバーからなるグループであっても、二人のメンバーからなるグループであっても、承認するメンバーが二人いれば、参加リクエストを受理するようにしても良い。
【００２９】
同様に、メンバーの数とは無関係に３人のメンバーの賛成を、グループへの参加の要件としても良いし、メンバーの数とは無関係に４人のメンバーの賛成を、グループへの参加の要件としても良い。あるいは、メンバーの１／３や２／３といったメンバーの一定割合を超える賛成により、グループへの参加を認めるようにしても良い。
【００３０】
また、逆に最も厳しい条件として、メンバーの数とは無関係にメンバー全員の賛成を、グループへの参加の要件としても良い。すなわち、１０人のメンバーからなるグループであれば、１０人すべての賛成を必要とする。
【符号の説明】
【００３１】
１    ソーシャルネットワークサービス管理サーバー
３    スマートフォン
５、７    パーソナルコンピュータ
【図１】
2020187574.tif 000003
【図２】
2020187574.tif 000004
【図３】
2020187574.tif 000005